(57)【要約】【課題】電動送風機が発生する騒音が掃除機本体の外部に漏れにくく、誤操作により吸い込まれた水による基板故障を抑制できる、使い勝手のよい電気掃除機を提供する。【解決手段】吸気口１２を有する本体ケース１１と、本体ケース１１に収容され、吸引風を発生する電動送風機１７と、電動送風機１７が発生する吸引風により吸い込まれた空気に含まれる塵埃を捕集する集塵部１０と、電動送風機１７への通電を制御する制御基板２０とを備え、制御基板２０に実装される電気部品２０ａの実装面２０ｂまたはその裏面２０ｃが電動送風機１７側に対向するように、制御基板２０を電動送風機１７の上方に配置した。【選択図】          図４
2018161169.tif 000002
【特許請求の範囲】
【請求項１】
本体吸込口を有する本体ケースと、
前記本体ケースに収容され、吸引風を発生する電動送風機と、
前記電動送風機が発生する吸引風により吸い込まれた空気に含まれる塵埃を捕集する集塵部と、
前記電動送風機への通電を制御する制御基板と、を備え、
前記制御基板に実装される電気部品の実装面またはその裏面が前記電動送風機側に対向するように、前記制御基板を前記電動送風機の上方に配置した電気掃除機。
【請求項２】
前記電動送風機は横方向の回転軸を有するインペラを備え、
前記電動送風機を収容する電動送風機ケースを備え、
前記電動送風機ケースには前記電動送風機が発生する吸引風を前記制御基板に向けて排気する第１の排気穴を設け、
前記第１の排気穴は前記インペラの回転により発生する旋回気流の下流側に設けたことを特徴とする請求項１記載の電気掃除機。
【請求項３】
前記電動送風機ケースは、上面が前記第１の排気穴から離れるにつれて下方に傾斜する傾斜面を有し、前記傾斜面の端部に水抜き穴を設けたことを特徴とする請求項２に記載の電気掃除機。
【請求項４】
前記電動送風機は前記インペラの回転軸の周りに対称な円筒形状をなし、
前記制御基板に電気部品が実装される実装面が前記電動送風機側と対向し、
前記制御基板の中央部に配置される前記電気部品よりも前記電動送風機の円周方向端部側に配置される前記電気部品の方が、前記電気部品の実装面と直交する方向における前記電気部品の高さが高いことを特徴とする請求項２または請求項３に記載の電気掃除機。
【請求項５】
上側から前記制御基板を保持する基板ホルダーを備えたことを特徴とする請求項１から請求項４のいずれか１項に記載の電気掃除機。
【請求項６】
前記基板ホルダーの少なくとも一部を金属板金で構成したことを特徴とする請求項５項記載の電気掃除機。
【請求項７】
前記電動送風機に電力を供給する電源コードを備え、
前記電動送風機は横方向の回転軸を有するインペラを備え、
前記電動送風機を収容する電動送風機ケースを備え、
前記電動送風機ケースに前記電動送風機が発生する吸引風を前記電源コードに向けて排気する第２の排気穴を設け、
前記第２の排気穴は前記インペラの回転により発生する旋回気流の下流側に設けたことを特徴とする請求項１から請求項６のいずれか１項に記載の電気掃除機。
【発明の詳細な説明】
【技術分野】
【０００１】
本発明は、電気掃除機に関するものである。
【背景技術】
【０００２】
従来の電気掃除機において、電動送風機の下に基板を配置してモーターからの排気をコードリールや基板に当てることで冷却しているものがある（例えば、特許文献１参照）。
【先行技術文献】
【特許文献】
【０００３】
特許第５３３２９６９号公報
【発明の概要】
【発明が解決しようとする課題】
【０００４】
特許文献１に記載された電気掃除機は、電動送風機の上方にはモーターケースと外郭部品のみが存在するため、電動送風機から発生する騒音が上方から電気掃除機の外部に漏れやすいという課題がある。また、誤って液体を吸込んだ際に、吸い込まれた液体が制御基板に付着していまい、故障の原因につながるという課題がある。
【０００５】
本発明は、上述のような課題を解決するためになされたもので、電動送風機が発生する騒音が外部に漏れにくく、また、誤操作により吸込まれた水による基板故障を抑制できる、使い勝手のよい電気掃除機を提供することを目的とする。
【課題を解決するための手段】
【０００６】
この発明に係る電気掃除機は、吸気口を有する本体ケースと、本体ケースに収容され、吸引風を発生する電動送風機と、電動送風機が発生する吸引風により吸い込まれた空気に含まれる塵埃を捕集する集塵部と、電動送風機への通電を制御する制御基板と、を備え、制御基板に実装される電気部品の実装面またはその裏面が電動送風機側に対向するように、制御基板を電動送風機の上方に配置したものである。
【発明の効果】
【０００７】
この発明によれば、制御基板に実装される電気部品の実装面またはその裏面が電動送風機側に対向するように、制御基板を電動送風機の上方に配置したので、制御基板が電動送風機の騒音を遮蔽して静音化することができる。また、誤って液体を吸ってしまっても制御基板に液体がたまることなく故障を防止することができる。
【図面の簡単な説明】
【０００８】
【図１】この発明の実施の形態に係る電気掃除機を示す斜視図である。
【図２】この発明の実施の形態に係る電気掃除機の掃除機本体の側面図である。
【図３】この発明の実施の形態に係る電気掃除機の掃除機本体の上面図である。
【図４】この発明の実施の形態に係る電気掃除機の掃除機本体の中心を前後方向で切断した断面図である。
【図５】この発明の実施の形態に係る電気掃除機の電動送風機の中心を前後方向で切断した断面図である。
【図６】この発明の実施の形態に係る電気掃除機の掃除機本体において、電動送風機を取り外した状態で、車輪の軸の位置において左右方向で切断し、後方から見た断面図である。
【図７】この発明の実施の形態に係る電気掃除機の上ケースを外した状態で後方から見た斜視図である。
【図８】図７に対して、制御基板が含まれる要部の分解図である。
【発明を実施するための形態】
【０００９】
添付の図面を参照して、本発明を詳細に説明する。各図では、同一または相当する部分に同一の符号を付している。重複する説明は適宜簡略化あるいは省略する。
【００１０】
実施の形態１．
図１は、この発明の実施の形態に係る電気掃除機を示す斜視図である。図２は、この発明の実施の形態に係る電気掃除機の掃除機本体の側面図である。図３は、この発明の実施の形態に係る電気掃除機の掃除機本体の上面図である。図４は、この発明の実施の形態に係る電気掃除機の掃除機本体の中心を前後方向で切断した断面図である。図５は、この発明の実施の形態に係る電気掃除機の電動送風機の中心を前後方向で切断した断面図である。図６は、この発明の実施の形態に係る電気掃除機の掃除機本体において、電動送風機を取り外した状態で、車輪の軸の位置において左右方向で切断し、後方から見た断面図である。図７は、この発明の実施の形態に係る電気掃除機の上ケースを外した状態で後方から見た斜視図である。図８は、図７に対して、制御基板が含まれる要部の分解図である。なお、各図中に図示するように、以下の説明において、前後方向は、電気掃除機本体のホースが接続される側を「前」とし、反対方向を「後」と定義する。また、上下方向は、電気掃除機本体の２つ車輪とキャスターを床面に載置した状態で、床面方向を「下」、反対方向を「上」と定義する。また、左右方向は、掃除機本体を前方から見て、右側を「右」、左側を「左」と定義する。
【００１１】
電気掃除機１は、例えば、キャニスター型であり、吸引ヘッド２、延長パイプ３、接続パイプ４、吸引ホース５及び掃除機本体６を備える。
【００１２】
吸引ヘッド２の下面に吸込み口（図示せず）が形成される。吸込み口は下向きの開口である。吸引ヘッド２は中央部に接続管２ａを備える。吸引ヘッド２の接続管２ａは延長パイプ３の一方の端部に着脱可能に接続される。延長パイプ３は伸縮可能であり、その長さは無段階又は多段階で調節できる。
【００１３】
接続パイプ４の一方の端部が延長パイプ３の他方の端部に着脱可能に接続される。接続パイプ４は、円筒形状の部材とこの部材に設けられた操作ハンドル７とを備える。操作ハンドル７は、電気掃除機１の使用者が掃除をする際に、吸引ヘッド２を移動するために持つ部分である。操作ハンドル７に操作スイッチ８が設けられている。操作スイッチ８は、例えば、電気掃除機１の運転を制御するための複数のボタンを備える。
【００１４】
吸引ホース５の一方の端部が接続パイプ４の他方の端部に接続される。吸引ホース５の他方の端部５ａが掃除機本体６に形成された本体吸込口１２（ホース接続部）に着脱可能に接続される。吸引ホース５は、端部５ａ以外の部分が蛇腹形状であり、任意の方向に曲がる。吸引ホース５の端部５ａは、例えば硬質の複数のプラスチック部材によって円筒状に形成される。吸引ホース５の端部５ａは、掃除機本体６の本体吸込口１２に吸引ヘッド２、延長パイプ３、接続パイプ４及び吸引ホース５は、塵埃を含む空気（含塵空気）を外部から掃除機本体６に導くための風路を形成する。
【００１５】
以下の説明では、図２に示す状態を基準に上下方向を特定する。前後方向に関しては、図２の左側を前とする。図３は掃除機本体６を上方向からみた図である。
【００１６】
掃除機本体６は、吸引ユニット９と集塵袋１０とを備える。集塵袋１０は、吸引ユニット９に着脱可能である。吸引ユニット９は、本体ケース１１、本体吸込口１２（ホース接続部）、ハンドル１３、一対の車輪１４、キャスター１５及び電源コード１６を備える。電源コード１６の一端は電源に接続する電源プラグ１６ａが設けられる。電源コード１６の他端は制御基板２０側に接続される。集塵袋１０が本体ケース１１の前側に配置される。本体ケース１１は本体吸気口１２を有する。
【００１７】
集塵袋１０は、掃除機本体６の前側に配置される。集塵袋１０は、後述する電動送風機１７が発生する吸引風により吸い込まれた空気に含まれる塵埃を捕集する集塵部の一例であるが、これに限らない。サイクロン式集塵装置を採用した場合、サイクロン分離室内の旋回流により、吸い込まれた空気から分離された塵埃が捕集される集塵室も集塵部としてもよい。
【００１８】
ハンドル１３は、掃除機本体６を持ち上げる時に使用者が持つ円弧状の把持部１３ａを有する。例えば、使用者は、階段等を掃除する時にハンドル１３を持って掃除機本体６を持ち上げる。ハンドル１３は掃除機本体６の本体吸込口１２側で、かつ、本体吸込口１２の左右の外側の上方に亘って設けられ、掃除機本体６の上面から突出する。ここでは把持部１３ａは左右方向に亘り僅かに湾曲しているが、一直線状の棒状でもよい。
【００１９】
一対の車輪１４はそれぞれ車軸１４ａの周りに回動自在で、掃除機本体６の後側の部分の両側に回転可能に設けられている。キャスター１５は、掃除機本体６の前側の部分に設けられている。集塵袋１０が取り付けられた状態では、キャスター１５は、集塵袋１０の下方に配置される。電源コード１６は、本体ケース１１の内部に設けられたコードリール１９に巻き付けられる。
【００２０】
また、図１から図３に示すように、掃除機本体６の外周面に意匠部品２３を備え、ハンドル１３の把持部１３ａの上面の形状が意匠部品２３の表面形状と滑らかに連なるように構成される。ハンドル１３と掃除機本体６との接続が目立たず、意匠性を損なわない電気掃除機が得られる。
【００２１】
図４は、本発明の実施の形態に係る電気掃除機１の掃除機本体６の中心を前後方向で切断した断面図である。本掃除機体６は、塵埃を含む空気から塵埃を集塵する機能を有する。掃除機本体６は、本体吸込口１２（ホース接続部）、ハンドル１３、車輪１４、キャスター１５、電源コード１６（図５参照）、電動送風機１７、電動送風機ケース１８、電源コード１６が巻回しされるコードリール１９（図５参照）、制御基板２０、及び、掃除機本体６から着脱可能な集塵袋１０を備える。
【００２２】
電動送風機１７は本体ケース１１に収容され、吸引風を発生する。図５は本発明の実施の形態に係る電気掃除機１における電動送風機１７の中心を前後方向で切断した断面図である。電動送風機１７は、ロータ組立体１７０と、ロータ組立体１７０を収容するハウジング１７２及びファンカバー１７３とを備える。図６に示すように、電動送風機１７は、後述するインペラ１７１ｂの回転軸の周りに対称な円筒形状をなす。
【００２３】
ロータ組立体１７０は、シャフト１７１ａと、シャフト１７１ａに取り付けられ、回転によって吸気口１７３ａに負圧を発生することにより吸引風を発生するインペラ（羽根車）１７１ｂと、シャフト１７１ａに取り付けられ、旋回磁界を発生する電磁石であるステータ１７４から回転力を付与される、複数の磁極を有する永久磁石であるロータコア１７１ｃとを備える。インペラ１７１ｂはシャフト１７１ａの中心軸を回転軸として回転する。実施の形態１の電気掃除機の電動送風機１７では、この回転軸は、前後方向に延びる横方向に配置される。図６に示すように、インペラ１７１ｂは、掃除機本体６を後方から見て、反時計方向に回転する。
【００２４】
ハウジング１７２には、シャフト１７１ａの外周に取り付けられ、ハウジング１７２側に形成される軸受固着部１７２ａに固着される軸受部１７２ｂを備える。軸受部１７２ｂとシャフト１７１ａとの間には、軸受部１７２ｂのインペラ１７１ｂ側とロータコア１７１ｃ側の両端部に、それぞれ、シャフト１７１ａの周方向に等間隔に複数の玉１７５ａ及び１７５ｂが配置される。複数の玉１７５ａ及び１７５ｂは、インペラ１７１ａの外周に中心軸方向に窪んだ溝１７１ｄ及び１７１ｅと、軸受部１７２の内周面に半径方向外向きに窪んだ溝（図示せず）と接触しながら転動する。シャフト１７１ａに形成される溝１７１ｄ及び１７１ｅは、シャフト１７１ａの外周面に、シャフト１７１ａの中心軸の周りに回転対称で、シャフト１７１ａの中心軸を通る断面の外縁が円弧状に窪むよう形成される。同様に、軸受部１７２の内周面に形成される溝は、軸受部１７２の内周面の中心軸の周りに回転対称で、軸受部１７２の内周面の中心軸を通る断面の内縁が円弧状に窪み、溝１７１ｄ及び１７１ｅとそれぞれ対向する位置に形成される。
【００２５】
また、インペラ１７１ｂが回転してインペラ１７１ｂの外周から半径方向に吐出される空気の流れを整流するために、インペラ１７１ｂの外側に放射状に配置される複数の案内羽根１７２ｃを備える。
【００２６】
ファンカバー１７３は、インペラ１７１ｂの風上側の端部の中央に吸気口１７３ａが形成され、インペラ１７１ｂを覆う。シャフト１７１ａの中心軸と直交する方向におけるファンカバー１７３の端部には排気口１７３ｂが形成される。インペラ１７１ｂの回転により、吸気口１７３ａから吸引された空気は、インペラ１７１ｂにより、シャフト１７１ａの中心軸と直交する方向に押し出される。そして、この空気は、案内羽根１７２ｃに沿って整流され、排気口１７３ｂから、インペラ１７１ｂの回転方向と同じ方向に旋回するように排気される。
【００２７】
図６に示すように、電動送風機ケース１８は、電動送風機１７の外周を覆うとともに、本体ケース１１に固定するものである。電動送風機１７の外周と対向する電動送風機ケース１８の内面は円筒状の凹面に形成される。電動送風機ケース１８の上面は、内面の凹面形状に沿った凸面の円筒形状をなす。すなわち、電動送風機ケース１８の上面と制御基板２０の実装面２０ｂとの距離は、電動送風機ケース１８の上面の左右方向の中央部である上端部１８ｄが最も小さく、左右方向の両端部が最も大きい。
【００２８】
電動送風機ケース１８は、掃除機本体６の後方に排気開口（図示せず）が形成される。すなわち、電動送風機ケース１８は、掃除機本体６の後方への排気風路２１ａを有する。
【００２９】
また、電動送風機ケース１８は、電動送風機１７が発生する吸引風を制御基板２０に向けて排気する第１の排気穴２３ａが形成される。第１の排気穴２３ａは、ハウジング１７２の前後方向の中央から後方の位置の右側に形成される。第１の排気穴２３ａは、インペラ１７１ｂの回転により発生する旋回気流の下流側に設けられる。なお、第１の排気穴２３ａの下端から上方に立壁１８ａが形成される。
【００３０】
また、電動送風機ケース１８は、電動送風機１７が発生する吸引風を、コードリール１９に巻回しされる電源コード１６に向けて排気する第２の排気穴２３ｂが形成される。第２の排気穴２３ｂは、インペラ１７１ｂの回転により発生する旋回気流の下流側に設けられる。
【００３１】
電動送風機ケース１８の上面は、内面の凹面形状に沿った凸面の円筒形状をなす。電動送風機ケース１８の上面は、左右方向の左側端部に、第１の排気穴２３ａから後方に離れるにつれて下方に傾斜する傾斜面１８ｂを有する。傾斜面１８ｂの後方端部に第１の水抜き穴２４ａが形成される。電動送風機ケース１８の上面は、左右方向の右側端部にも、左側端部の傾斜面と同様に後方に向かうにつれて下方に傾斜する傾斜面１８ｃを有し、この傾斜面１８ｃの後方端部に第２の水抜き穴２４が形成される。なお、電動送風機ケース１８の上面の左右方向の中央部である上端部１８ｄも、後方に向かうにつれて下方に傾斜する。
【００３２】
制御基板２０は、電動送風機１７のステータ１７４への通電を制御する。例えば、スイッチング素子であるトライアックを用いて、電源プラグ１６ａと電源コード１６を介して供給される交流電流に対し、点弧角を調整することにより、ステータ１７４への通電量を制御する。
【００３３】
制御基板２０には複数の電気部品２０ａが実装される。電気部品２０ａは、例えば、トライアックやＦＥＴのようなスイッチング素子、コンデンサ、抵抗などである。発熱素子であるスイッチング素子を冷却するために冷却フィン２２（図６参照）が発熱素子に接続される。
【００３４】
制御基板２０は、図６に示すように、制御基板２０に実装される電気部品２０ａの実装面２０ｂ（制御基板２０の下面）が電動送風機１７側に対向するように、電動送風機１７の上方に配置される。制御基板２０の中央部に配置される電気部品２０ａよりも電動送風機１７の円周方向端部側に配置される電気部品２０ａの方が、電気部品２０ａの実装面２０ｂと直交する方向における電気部品２０ａの高さが高くなるように、電気部品２０ａが制御基板２０に実装される。ここで、制御基板２０の中央部とは、制御基板２０の実装面２０ｂと電動送風機１７との距離が最小となる位置を意味する。
【００３５】
上側から制御基板２０を保持する、下方が開口した樹脂製の箱状の基板ホルダー２５を備える。また、基板ホルダー２５の一部または全部を金属板金２６で構成してもよい。実施の形態１では、電気部品２０ａの中の発熱部品に近接する基板ホルダー２５の後面を金属板金２６で構成した例を示す。
【００３６】
次に、動作について説明する。
電源プラグ１６ａを電源に接続する。電動送風機１７は、電源コード１６を介して電流が供給され、操作スイッチ８に対する操作に応じて予め設定された吸引動作を行う。電動送風機１７が吸引動作を行うと、電動送風機１７は、電気掃除機１に形成された風路に気流を発生させる。電気掃除機１に形成された風路には、塵埃を含む空気を外部から掃除機本体６に導くための風路、集塵袋１０に形成された風路及び排気風路２１が含まれる。気流が発生すると、吸引ヘッド２の吸込み口から床面３０上の塵埃が空気と一緒に吸い込まれる。吸引ヘッド２に吸い込まれた塵埃を含む空気は、延長パイプ３、接続パイプ４及び吸引ホース５を通り、本体吸込口１２（ホース接続部）から掃除機本体６の内部に流入する。
【００３７】
掃除機本体６の内部に流入した塵埃を含む空気は集塵袋１０に送られる。吸引ホース５が本体吸込口１２（ホース接続部）に差し込まれた際に端部５ａが集塵袋１０に達する場合は、塵埃を含む空気は、吸引ホース５から集塵袋１０に直接送られる。集塵袋１０は、塵埃を含む空気から塵埃を分離する。集塵袋１０は、塵埃を含む空気を不織布、いわゆる紙パックを通して塵埃を集塵する。本発明では、紙パック式の内容で示しているがサイクロン分離機能を有するものでも同様の効果がある。集塵袋１０は、分離した塵埃を捕集し、一時的に溜めておく。排気風路２１には、集塵袋１０を通過して塵埃が除去された清浄な空気が流入する。
【００３８】
集塵袋１０を通過して塵埃が除去された清浄な空気は電動送風機１７の吸気口１７３ａからファンカバー１７３の内部に吸引される。インペラ１７１ｂの回転により、吸気口１７３ａから吸引された空気は、インペラ１７１ｂにより、シャフト１７１ａの中心軸と直交する方向に押し出される。そして、この空気は、案内羽根１７２ｃに沿って整流され、図４に示すように、排気口１７３ｂから、インペラ１７１ｂの回転方向と同じ方向に旋回するように排気される。
【００３９】
図４に示すように、排気口１７３ｂから排気された空気は、主に、排気口１７３ｂからハウジング１７２の外周側を通り、掃除機本体６の後方に形成された排気開口に至る排気風路２１ａを通って、掃除機本体６から外部へ排気される。
【００４０】
また、排気口１７３ｂから排気された空気は、一部が、図６に示すように、電動送風機ケース１８の右上に形成された第１の排気穴２３ａを通って立壁１８ａに当たり、折り返されて、制御基板２０が実装される実装面の下部の空間を右から左に通過し、制御基板２０の左端端部に配置された冷却フィン２２に至る排気風路２１ａを流れる。排気風路２１ａを流れる空気により冷却フィン２２２が冷却され、制御基板２０に実装される電気部品２０ａの中の発熱部品が冷却される。発熱部品を冷却した空気は掃除機本体６の後方に形成された排気開口を通って、掃除機本体６から外部へ排気される。
【００４１】
制御基板２０に実装される電気部品２０ａの実装面２０ｂが電動送風機１７側に対向するように、制御基板２０を電動送風機１７の上方に配置したので、インペラ１７１ｂの回転により発生する振動音や吸引風の風切り音は制御基板２０により遮蔽される。このように、電動送風機１７から発生される騒音が掃除機本体６の外部に漏れることを抑制でき、掃除機本体６を静音化することができる。
なお、実施の形態１では、制御基板２０に実装される電気部品２０ａの実装面２０ｂが電動送風機１７側に対向するように配置したが、制御基板２０に実装される電気部品２０ａの実装面の裏面２０ｃが電動送風機１７側に対向するように配置しても同様の効果が得られる。
【００４２】
また、第１の排気穴２３ａをインペラ１７１ｂの回転により発生する旋回気流の下流側に設けたので、掃除中に水を吸い込んでも、旋回気流の上流側に設けた場合と比較して、吸い込まれた水が制御基板２０の下部の空間に侵入することを抑制することができる。
【００４３】
掃除中に水を吸い込み、第１の排気穴２３ａから制御基板２０の下部の空間に水が侵入した場合、吸い込まれた水は電動送風機ケース１８の上面に滴下する。電動送風機ケース１８の上面は上に凸の円柱面状の曲面をなすので、電動送風機ケース１８の上面に滴下した水は、電動送風機ケース１８の上面の左右両端部に流れる。電動送風機ケース１８の上面の左右両端部は後方に向かうにつれて下方に傾斜する傾斜面１８ｂ及び傾斜面１８ｃを有するので、電動送風機ケース１８の上面の左右両端部に流れた水は後方に向って流れる。この傾斜面１８ｂ及び傾斜面１８ｃを流れた水は、それぞれ後方端部に形成された第１の水抜き穴２４ａ及び第２の水抜き穴２４ｂから電動送風機ケース１８の外部に排出される。排出された水は、電源コード１６が配置される空間を避けるように流れ、掃除機本体６の外部に排出される。
【００４４】
このように、電動送風機ケースは、上面が第１の排気穴から離れるにつれて下方に傾斜する傾斜面を有し、前記傾斜面の端部に水抜き穴を設けたので、掃除中に水を吸い込んでも、制御基板側に侵入した水が傾斜面を流れ、水抜き穴から制御基板の外部へ排出される。したがって、制御基板２０の下部の空間に水が留まることがなく、制御基板２０に実装される電気部品２０ａが濡れることを防止できる。
【００４５】
また、排気口１７３ｂから排気された空気は、一部が、図６に示すように、電動送風機ケース１８の左下に形成された第２の排気穴２３ｂを通って電動送風機ケース１８の外部に排気された後、第２の排気穴２３ｂからコードリール１９に巻回しされる電源コード１６に至る排気風路２１ｂを流れる。排気風路２１ｂを流れる空気により電源コード１６が冷却され、通電中の電源コード１６の温度上昇を抑制する。電源コード１６を冷却した空気は掃除機本体６の後方に形成された排気開口を通って、掃除機本体６から外部へ排気される。
【００４６】
第２の排気穴２３ｂをインペラ１７１ｂの回転により発生する旋回気流の下流側に設けたので、掃除中に水を吸い込んでも、旋回気流の上流側に設けた場合と比較して、吸い込まれた水が、電源コード１６が巻きまわされるコードリール１９が配置される空間に侵入することを抑制することができる。したがって、電源コード１６が濡れることを防止できる。
【００４７】
また、制御基板２０の中央部に配置される電気部品２０ａよりも電動送風機１７の円周方向端部側に配置される電気部品２０ａの方が、電気部品２０ａの実装面と直交する方向における電気部品２０ａの高さが高くなるように、電気部品２０ａが制御基板２０に実装されるので、制御基板を電動送風機に近づけて配置することができ、掃除機本体を小型化できる。
【００４８】
また、上側から制御基板２０を保持する樹脂製の基板ホルダー２５を備えたので、制御基板に加え基板ホルダーが電動送風機の騒音を遮蔽して、掃除機本体をさらに静音化することができる。
【００４９】
基板ホルダー２５の少なくとも一部を金属板金２６で構成したので、制御基板に実装される電気部品の発熱等により発火が発生しても延焼を抑制することができ、使い勝手のよい電気掃除機を得ることができる。
【００５０】
このように、この実施の形態の電気掃除機によれば、本体吸込口を有する本体ケースと、本体ケースに収容され、吸引風を発生する電動送風機と、電動送風機が発生する吸引風により吸い込まれた空気に含まれる塵埃を捕集する集塵部と、電動送風機への通電を制御する制御基板と、を備え、制御基板に実装される電気部品の実装面またはその裏面が電動送風機側に対向するように、制御基板を電動送風機の上方に配置したので、制御基板が電動送風機の騒音を遮蔽し、掃除機本体を静音化することができる。
【００５１】
また、電動送風機は横方向の回転軸を有するインペラを備え、電動送風機を収容する電動送風機ケースを備え、電動送風機ケースには電動送風機が発生する吸引風を制御基板に向けて排気する第１の排気穴を設け、この第１の排気穴はインペラの回転により発生する旋回気流の下流側に設けたので、掃除中に水を吸い込んでも、吸い込まれた水が制御基板に侵入することを抑制することができる。
【００５２】
また、電動送風機ケースは、上面が第１の排気穴から離れるにつれて下方に傾斜する傾斜面を有し、傾斜面の端部に水抜き穴を設けたので、掃除中に水を吸い込み、制御基板側に侵入した水が傾斜面を伝い、水抜き穴から制御基板の外部へ排出される。
【００５３】
また、電動送風機はインペラの回転軸の周りに対称な円筒形状をなし、制御基板に電気部品が実装される実装面が電動送風機側と対向し、制御基板の中央部に配置される電気部品よりも電動送風機の円周方向端部側に配置される電気部品の方が、電気部品の実装面と直交する方向における電気部品の高さが高いように配置したので、制御基板を電動送風機に近づけて配置することができ、掃除機本体を小型化できる。
【００５４】
また、上側から制御基板を保持する基板ホルダーを備えたので、制御基板に加え基板ホルダーが電動送風機の騒音を遮蔽して静音化することができる。
【００５５】
また、基板ホルダーの少なくとも一部を金属板金で構成したので、制御基板に実装される電気部品発熱等により発火が発生しても延焼を抑制することができる。
【００５６】
また、電動送風機に電力を供給する電源コードを備え、電動送風機は横方向の回転軸を有するインペラを備え、電動送風機を収容する電動送風機ケースを備え、電動送風機ケースに電動送風機が発生する吸引風を電源コードに向けて排気する第２の排気穴を設け、第２の排気穴はインペラの回転により発生する旋回気流の下流側に設けたので、電源コードを冷却することができるとともに、掃除中に水を吸い込んでも、吸い込まれた水が電源コード側に侵入することを抑制することができる。
【符号の説明】
【００５７】
１  電気掃除機、
２  吸引ヘッド、
２ａ  接続管、
３  延長パイプ、
４  接続パイプ、
５  吸引ホース、
５ａ  端部、
６  掃除機本体、
７  操作ハンドル、
８  操作スイッチ、
９  吸引ユニット、
１０  集塵袋（集塵部）、
１１  本体ケース、
１２  本体吸込口（ホース接続部）、
１３  ハンドル、
１３ａ  把持部、
１４  車輪、
１４ａ  車軸、
１５  キャスター、
１６  電源コード、
１６ａ  電源プラグ、
１７  電動送風機、
１７０  ロータ組立体、
１７１ａ  シャフト、
１７１ｂ  インペラ、
１７１ｃ  ロ−タコア、
１７１ｄ  溝、
１７１ｅ  溝、
１７２  ハウジング、
１７２ａ  軸受固着部、
１７２ｂ  軸受部、
１７２ｃ  案内羽根、
１７３  ファンカバー、
１７３ａ  吸気口、
１７３ｂ  排気口、
１７４  ステータ、
１７５ａ  玉、
１７５ｂ  玉、
１８  電動送風機ケース、
１８ａ  立壁、
１８ｂ  傾斜面、
１８ｃ  傾斜面、
１８ｄ  上端部、
１９  コードリール、
２０  制御基板、
２０ａ  電気部品、
２０ｂ  実装面、
２０ｃ  実装面の裏面、
２１ａ  排気風路、
２１ｂ  排気風路、
２１ｃ  排気風路、
２２  冷却フィン、
２３ａ  第１の排気穴、
２３ｂ  第２の排気穴、
２４ａ  第１の水抜き穴、
２４ｂ  第２の水抜き穴
２５  基板ホルダー、
２６  金属板金。
【図１】
2018161169.tif 000003
【図２】
2018161169.tif 000004
【図３】
2018161169.tif 000005
【図４】
2018161169.tif 000006
【図５】
2018161169.tif 000007
【図６】
2018161169.tif 000008
【図７】
2018161169.tif 000009
【図８】
2018161169.tif 000010